(57)【要約】【課題】  耐久性があり、かつ簡単な作業で小型に折りたたむことができる折りたたみ式通い箱を提供すること。【解決手段】  直方体形状の通い箱は、底面部１と蓋部２を布で形成し、側面部四面３Ａ，３Ｂ，３Ｃ，３Ｄは内外二重の布４ａ，４ｂの間にプラスチック板５を挟んで形成し、側面四面のうち一方の対向側面部３Ａ，３Ｂのプラスチック板は幅方向に二分割した割板５ａ，５ｂで構成し、蓋部２はその一辺を上記側面部３Ａ，３Ｂの一方、例えば側面３Ｂの上縁に接続してなり、空箱は、分割板５ａ，５ｂを設けた一方の対向側面部３Ａ，３Ｂを分割線５１、５１´位置で内側に折りたたみ、折りたたまれた側面部３Ａ，３Ｂを両側から他方の対向側面部３Ｃ，３Ｄで挟むことで全体を平板状に折りたたむ構造とした。【選択図】        図１
2005162255.tif 000002
【特許請求の範囲】
【請求項１】
直方体形状の通い箱の底面部および蓋部を布で形成し、側面部四面を内外二重の布の間にプラスチック板を挟み込んで形成し、上記側面部四面のうち一方の対向二側面部では、プラスチック板を幅方向に分割した二枚の分割板で構成して分割線位置で折りたたみ可能とし、上記対向二側面部のうちの一方の側面部の上縁に蓋部の一辺を接続したことを特徴とする折りたたみ式通い箱。
【請求項２】
上記通い箱は平面形状が正方形の直方体であり、上記分割線位置を上記一方の対向二側面部の幅方向中心に設定した請求項１記載の折りたたみ式通い箱。
【請求項３】
上記通い箱は平面形状が長方形の直方体であり、長辺側の対向二側面部に上記分割板を設け、上記二側面部の分割板の分割線位置を互いに幅方向にずれた位置に設定した請求項１記載の折りたたみ式通い箱。
【請求項４】
上記プラスチック板として、プラスチック段ボール板を用いた請求項１ないし請求項３記載の折りたたみ式通い箱。
【請求項５】
上記側面部四面のうち、少なくとも上記分割板を設けた上記一方の対向側面部以外の他方の対向二側面部では、外側の布の内面にプラスチック平板を重ね合わせ、ほぼ逆Ｕ字形の帯状の持ち手の両脚部を、上記プラスチック平板と一体に外側の布の外面に縫着した請求項４記載の折りたたみ式通い箱。
【発明の詳細な説明】
【技術分野】
【０００１】
本発明は、荷物を目的場所に運送した後、空箱を送り返し、あるいは保管して再使用を繰返す折りたたみ式通い箱に関するものである。
【背景技術】
【０００２】
この種の通い箱としては、従来一般に紙ダンボール製のものが用いられていた。紙ダンボール箱は、軽量、安価、かつ折りたたみが容易である利点があるが、素材自体が丈夫でないこと、耐圧性に劣り重ね積みしたときに型くずれしやすいこと、水に弱いこと、またガムテープなどで梱包されるので剥がすときに箱の表皮がガムテープ等と一体に剥がれること、などの問題があって使い捨てされるのがほとんどである。
【０００３】
そこで紙ダンボール製の通い箱に代えてプラスチック製の通い箱が使用されるようになってきた。しかしながらプラスチック製の通い箱はこれを折りたたみ式にするためには、構成各プラスチック板をヒンジ具などで結合しなければならず、また種々の付属部品が必要となる。
【０００４】
例えば下記特許文献１に記載のプラスチック製の通い箱は、直方形体形状の六面がプラスチック板で構成され、底板の四辺に、立上がり面をなす側板がそれぞれヒンジ結合され、一つの側板の上縁に蓋板がヒンジ結合されている。側面四面のうち一方の対向二側面はそれぞれ高さ方向中央で分割され互いにヒンジ結合された上下二枚の分割板からなり、上記一方の対向二面の側板は縦縁同士が紐で連結してあり、他方の対向二側面の側板が外側へ倒れないようにしてある。空箱の折りたたみは、先ず他方の対向二側板を底板上に倒し、次に上記一方の対向二面の下側の分割板を内側に倒しつつ上側の分割板を外側に倒して上下の分割板を上下に重ね合わせ、その上に蓋板を倒して重ね合わせることで全体を折りたたむ構造とされている。紐は変形自在であるから側板の折りたたみに支障をきたさない。
【特許文献１】特開平９−３９９５５号公報
【発明の開示】
【発明が解決しようとする課題】
【０００５】
しかしながら上記従来のプラスチック製の折りたたみ式通い箱では各プラスチック板をヒンジ結合しなければならず、また紐を取付けなければならない。この紐は梱包したときに側板の外面に沿ってかけ渡されているから、運搬時に擦れたり、他の物に引っ掛かったりして傷みやすい。また箱を折りたたんだときに、面積を底板および蓋板以下にコンパクト化することができない。
【０００６】
そこで本発明は、従来のプラスチック製の折りたたみ式通い箱よりも軽量でかつ同等の耐久性、耐圧性を有し、折りたたみ式とするために特別の部品を必要とせず、折りたたんだときに従来のものよりもコンパクト化できる折りたたみ式通い箱を提供することを課題としてなされたものである。
【課題を解決するための手段】
【０００７】
本発明の折りたたみ式通い箱は、直方体形状の通い箱の底面部および蓋部を布で形成し、側面部四面を内外二重の布の間にプラスチック板を挟み込んで形成し、上記側面部四面のうち一方の対向二側面部では、プラスチック板を幅方向に分割した二枚の分割板で構成して分割線位置で折りたたみ可能とし、上記対向二側面部のうちの一方の側面部の上縁に蓋部の一辺を接続したことを特徴とする（請求項１）。
【０００８】
本発明の通い箱の折りたたみは、空箱の蓋部を、これが接続された側面部の外面に重ね合せ、蓋部を重ね合せた側面部とこれと対向する側面部を対向方向に押し込んで分割板の分割線位置で折り曲げて両側面部をそれぞれ重ね合わせ状態とし、重ねあわされた上記両側面部を他の対向側二面部で挟み込むことで容易になされ得る。この場合、底面および蓋部は布のみで形成されているから折りたたみ自由であり、通い箱の折りたたみの障害とはならない。
【０００９】
上記通い箱において、平面形状が正方形のものについては、上記分割線位置を上記一方の対向二側面部の幅方向中心に設定する（請求項２）。平面形状が長方形のものについては長辺側の対向二側面部に上記分割板を設け、上記対向二側面部の分割板の分割線位置を、互いに幅方向にずれた位置に設定し、上記対向二側面を内側に折りたたんだときに両者がぶつかり合わないようにする（請求項３）。
【００１０】
上記通い箱において、プラスチック板としてプラスチック段ボール板を用いる（請求項４）。通い箱の側面部の上下方向の耐圧性を重量を上げることなく強化することができる。
【００１１】
プラスチック板として段ボール板を用いた上記通い箱において、少なくともプラスチック板を分割板とした上記一方の対向側面部以外の他の対向側面部では、外側の布の内面にプラスチック平板を重ね合わせ、ほぼ逆Ｕ字形に曲げた帯状の持ち手の脚部を上記プラスチック平板と一体に外側の布の外面に縫着する（請求項５）。プラスチック平板で裏打ちされた側面部の布に持ち手を縫着したから持ち手は強固に側面部に取付けられる。また裏打ち材は平板であるから持ち手は容易に縫着され得る。
【発明の効果】
【００１２】
本発明の通い箱は布製で、側面四面にのみプラスチック板を設ける構造としたから、全体がプラスチック板からなる通い箱に比べて軽量である。また布のみの部分で折りたたまれるから、折りたたみ部にヒンジ具等の部品を用いる必要がない。
【００１３】
本発明の通い箱は、上下方向の折りたたみ式ではなく、幅方向に折りたたまれる。通い箱は、荷物を収納したときの安定性から一般に縦面となる側面部の高さが底面部（蓋部）の一辺の長さよりも小さくしてあるから、折りたたんだときの面積が上下方向に折りたたむものよりもコンパクトになる。
【００１４】
本発明の通い箱は縦面となる側面部四面にはプラスチック板が設けられているから、重ね乗せしても充分な耐圧力がある。なお、側面部二面には折りたたまれる分割線が存在するが、分割線は縦方向であるから側面部の耐圧力を減少させるものではない。
【発明を実施するための最良の形態】
【００１５】
本発明の実施形態を図１ないし図５により説明する。図示の折りたたみ式通い箱は長方形（矩形）の底面部１および蓋部２と、側面部四面３Ａ，３Ｂ，３Ｃ，３Ｄとからなる直方体形状で、紙系書類等の運送に好適に用いられるものである。側面部３Ａ，３Ｂ，３Ｃ，３Ｄの高さ寸法は、底部１および蓋部２の短辺の寸法と同じ、ないしはそれよりも若干小さくしてある。
【００１６】
通い箱は、底面部１および蓋部２が、それぞれ一枚の布からなり、側面部３Ａ〜３Ｄはそれぞれ内外二枚の布の間にプラスチック板が挟み込んである。布はポリエチレン繊維やナイロン系の繊維など丈夫な繊維の織布で、表面に防水処理を施したものが用いられる。
【００１７】
側面部四面のうち、短辺側の相対向する側面部３Ｃ，３Ｄは同一構造で、これを側面部３Ｃについて説明すると、第１図および第２図に示すように、布は内生地４ａと外生地４ｂの二重構造で、両者間には側面部３Ｃの形状と同じ四角形状のプラスチック段ボール板５と薄いプラスチック平板５０が挟みこまれている。ダンボール板５は、相対向する平板状のプラスチック薄板間が多数の仕切板により全高さにわたって幅方向に仕切られた構造としてある。なお段ボール板としては、これに限らず、波形のプラスチック板の両面に平板のライナーを設けたもの等が用いられ得る。プラスチック平板５０は外生地４ｂと上記段ボール板５の間に挿置されている。
【００１８】
側面部３Ｃは、外生地４ｂの上縁に沿って外面に面ファスナー６ａを縫着し、かつ、外生地４ｂの外面に逆Ｕ字形に曲げた布製帯状の持ち手７の両脚部を上記プラスチック平板５０と一体に縫着し、段ボール板５を外生地４ｂと内生地４ａの間に挟み、外生地４ｂと内生地４ａの周縁を重ね合わせ、重ね合わされた周縁をこれを包む布製の縁取りテープ８と一体に縫合することにより形成されている。側面部３Ｃと対向する側面部３Ｄは、側面部３Ｃと同一の構造としてある。
【００１９】
長辺側の相対向する側面部３Ａと側面部３Ｂは、内生地４ａと外生地４ｂ間に内設するプラスチック段ボール板５の配置が異なるが、他は同一構造としてある。側面部３Ａについて図１および図３により説明すると、プラスチックダンボール板５は、分割された四角形の二枚の分割板５ａ，５ｂからなる。両分割板５ａ，５ｂは同一高さで、分割板５ａの幅は分割板５ｂの約１．２倍ないし１．３倍としてある。
【００２０】
側面部３Ａは、分割板５ａ，５ｂを対向する縦縁間に若干の間隔をおいて幅方向に並置し、両面から内生地４ａと、上縁に沿って面ファスナー６ａを縫着した外生地４ｂで挟み、側面部３Ｃ，３Ｄの場合と同様、両生地４ａ，４ｂの周縁を重ね合わせ、重ね合わされた周縁をこれを包む布製の縁取りテープ８と一体に縫合するとともに、内生地４ａと外生地４ｂとを、両分割板５ａ，５ｂの対向縦縁間位置で縦方向直線状に縫着することにより形成されている。この結果、側面部３Ａは、その幅方向中心よりも一方の側（図例では側面部３Ｄ側）に片寄った位置にある両分割板５ａ，５ｂの分割線５１で折り曲げ可能である。
【００２１】
側面部３Ａと対向する側面部３Ｂでは、側面部３Ａにおけると同形同大の分割板５ａ，５ｂが設けてあるが、分割板５ａ，５ｂはその配置が、側面部３Ａとは幅方向逆位置としてある。その他の構造は側面部３Ａと同じである。この結果、側面部３Ｂは、その幅方向中心よりも側面部３Ａにおけるとは逆の側（図例では側面部３Ｃ側）に片寄った位置に分割線５１´で折り曲げ可能である。
【００２２】
上記側面部３Ａ，３Ｃ，３Ｂ，３Ｄは縁取りテープ８により縁取りされた相隣れる縦縁を重ね合わせて縫着してある（図３（Ｂ）参照）、
【００２３】
底面部１は一枚の布からなり、周縁は縁取りテープ８により縁取りしてある。そして周縁の縁取りテープ８を、側面部３Ａ，３Ｂ，３Ｃ，３Ｄの下縁の縁取りテープ８と重ね合わせて縫着し（図２（Ａ）、図３（Ａ）参照）、側面部３Ａ，３Ｂ，３Ｃと一体化され、長方形状の容器体が形成されている。
【００２４】
矩形の側面部上縁のうち、側面部３Ｂの上縁には蓋部２の一辺が接続せしめてある。一枚の布からなる矩形の蓋部２本体の周縁は縁取りテープ８で縁取りしてあり、縁取りされた一辺と、同じく縁取りされた側面部３Ｂの上縁とを重ね合わせ縫合されている。
【００２５】
蓋部２本体の三辺には蓋垂れ２０が取付けてある。図１および図４に示すように、蓋垂れ２０は帯状の布で外周が縁取りテープ８で縁取りがしてあり、蓋体２本体の縁取りされた三辺と、各縁垂れ２０の縁取りされた側縁とを重ね合わせて縫着してある。各蓋垂れ２０の一方の面には面ファスナー６ｂが縫着してある。
【００２６】
以上のように構成した通い箱において、荷物、例えば紙類や書物類の収納に際しては、荷物を箱内に積載収納し、蓋体２を閉じ、蓋垂れ２０の面ファスナー６ｂを側面部３Ａ，３Ｃ，３Ｄの面ファスナー６ａに係着せしめる。そして荷物を収納した通い箱を持ち手７により持ち上げて搬送する。
【００２７】
なお図例の通い箱では荷物を収納して搬送する過程で蓋垂れ２０に何らかの外物が引っ掛かって面ファスナー６ａ，６ｂがはずれても開蓋しないように、左右両側の蓋垂れ２０の蓋体自由端側の端部と、閉蓋時に上記端部と対向する側面部３Ｃ，３Ｄの端部に係脱可能なひねりホック６０を設けている。ひねりホック６０は側面部３Ｃ，３Ｄ側に回転かつ起倒可能なひねり部を設けるとともに蓋垂れ２０側にひねり部を挿入する穴を設け、閉蓋時に上記穴に挿入したひねり部を回転させて穴から抜けないようにした状態で倒すものである。
【００２８】
図５は空箱の折りたたみ態様を模式的に示すもので、（図においてプラスチック板および持ち手の記載は省略した）先ず蓋部２を、側面部３Ｂの上縁に接続する基端縁を中心に回動させて側面部３Ｂの外面に重ね合わせる（図５（Ａ））。次に側面部３Ａと、蓋部２が重ね合わされた側面部３Ｂとを対向方向に押し込むと、両側面部３Ａ，３Ｂはそれぞれ分割線５１，５１´で折りたたまれて断面Ｖ字形状となる（図５（Ｂ））。この場合、蓋部２および底面部１は変形自在な布のみで形成されているから側面部３Ａ，３Ｂの折りたたみの抵抗とはならない。側面部３Ａ，３Ｂの分割線５１，５１´は側面３Ａ，３Ｂの幅方向にずらした位置としてあるから、互いにぶつかり合うことはない。最後に側面部３Ｃ，３Ｄを対向方向に押すことで箱全体がほぼ平板状に折りたたまれる（図５（Ｃ））。
【００２９】
このように折りたたみは極めて簡易な作業でなされ得る。そして折りたたまれた箱の平面の横幅は、短辺側の側面３Ｃ，３Ｄの幅よりも若干長いだけであり、縦幅は側面３Ｃ，３Ｄの幅とほぼ同じであるから、平面積は箱を上下に折りたたんだ場合の平面積、即ち底面部１および蓋部２の平面積よりも小さくなる。また箱は布とプラスチック板の組合せにより構成されているから、全体がプラスチック板で構成された箱よりも軽量である。また側面部３Ａ，３Ｂの分割線５１，５１´は縦方向に設定されているから荷物を収納した箱を重ね乗せしても分割線５１，５１´で折りたたまれることはない。
【００３０】
上記実施形態は本発明を長方形状の直方体の通い箱に適用したものであるが、平面正方形の直方体の通い箱の場合には、相対向する側面部の分割線をともに側面幅方向の中心位置に設定することができる。このようにしても折りたたみ時にぶつかり合いは生じない。
【００３１】
なお、上記実施形態ではプラスチック板としてプラスチックダンボール板を用いたが、箱の重ね乗せに耐え得る厚さの平板を用いてもよい。また上記実施形態では、蓋閉じ時の蓋部の側面部への係着手段として面ファスナーを用いたが、これに限らず、ホックやチャック式ファスナー等が用いられ得る。
【００３２】
また通い箱の持ち手は、リング状に形成した持ち手を細長く延びる形とし、この持ち手を折りたたまれない対向側面部の一方から底面部を横切って側面部の他方へとかけ渡すように配し、底面部および両側面部の外生地に縫着する構造としてもよい。
【図面の簡単な説明】
【００３３】
【図１】本発明の折りたたみ式通い箱の斜視図である。
【図２】（Ａ）は図１のＩＩＡ−ＩＩＡ線に沿う位置での断面図、（Ｂ）は図１のＩＩＢ−ＩＩＢ線に沿う位置での断面図である。
【図３】（Ａ）は図１のＩＩＩＡ−ＩＩＩＡ線に沿う位置での断面図、（Ｂ）は図１のＩＩＩＢ−ＩＩＩＢ線に沿う位置での断面図である。
【図４】図１のＩＶ−ＩＶ線に沿う位置での断面図である。
【図５】本発明の折りたたみ式通い箱の折りたたみの態様を説明する図である。
【符号の説明】
【００３４】
１  底面部
２  蓋部
３Ａ，３Ｂ，３Ｃ，３Ｄ  側面部
４ａ  内側の布（内生地）
４ｂ  外側の布（外生地）
５  プラスチックダンボール板
５０  プラスチック平板
５ａ，５ｂ  分割板
５１，５１´  分割線
６ａ，６ｂ  面ファスナー
７  持ち手
８  縁取りテープ
【図１】
2005162255.tif 000003
【図２】
2005162255.tif 000004
【図３】
2005162255.tif 000005
【図４】
2005162255.tif 000006
【図５】
2005162255.tif 000007